(57)【要約】【課題】隣接する発光体の光の干渉を抑制して装飾性を向上すると共に小型化を図り、また単一の発光手段による演出効果を向上し得る遊技機用の発光装置を提供する。【解決手段】複数の光透過性部材６２，６３，６４を積層して形成した積層部材６１を、隣接して配置した複数の発光手段５７，５８，５９の前方に近接するよう配設して、夫々の発光手段５７，５８，５９と光透過性部材６２，６３，６４とを対応させる。これにより、前記夫々の発光手段５７，５８，５９から対応する光透過性部材６２，６３，６４に入射した光が、当該光透過性部材６２，６３，６４と隣接する他の光透過性部材６２，６３，６４との境界面で反射されるようにした。【選択図】　図５
2004141197.tif 000002
【特許請求の範囲】
【請求項１】
複数の発光手段が隣接して配置され、これら発光手段を任意に点灯または消灯させることで光による遊技を演出し得る遊技機用の発光装置において、
複数の光透過性部材を積層して形成した積層部材を、前記複数の発光手段の前方に近接するよう配設して、夫々の光透過性部材を夫々の発光手段に対応させ、前記夫々の発光手段から対応する光透過性部材に入射した光が、当該光透過性部材と隣接する他の光透過性部材との境界面で反射されるようにした
ことを特徴とする遊技機用の発光装置。
【請求項２】
前記各光透過性部材には、乱反射処理が施されると共に、各光透過性部材における隣接する他の光透過性部材との境界面は、平滑に形成される請求項１記載の遊技機用の発光装置。
【請求項３】
前記各光透過性部材の前端面に、乱反射処理が施されている請求項２記載の遊技機用の発光装置。
【請求項４】
前記各光透過性部材は、所定方向に延在する板状に形成されると共に、前記発光手段における前端面の形状は、長軸と短軸とを有する断面非円形に形成され、該長軸が光透過性部材における後端面の長手方向に沿うように配置されている請求項１〜３の何れかに記載の遊技機用の発光装置。
【請求項５】
前記積層部材は、上下に積層される上光透過性部材、中光透過性部材および下光透過性部材から三層構造に形成されて、前記上光透過性部材と下光透過性部材とは、上下方向に所要距離だけ離間して一体形成され、この上光透過性部材と下光透過性部材との間に、前記中光透過性部材が嵌挿されると共に、前記中光透過性部材に、上下の光透過性部材の後端面側に露出する露出部を設けた請求項１〜４の何れかに記載の遊技機用の発光装置。
【請求項６】
発光手段を任意に点灯または消灯させることで光による遊技を遊技演出を行なう遊技機用の発光装置において、
前記発光手段の前側に、乱反射処理を施した光透過性部材が位置するよう配設した
ことを特徴とする遊技機用の発光装置。
【発明の詳細な説明】
【０００１】
【発明の属する技術分野】
この発明は、発光手段を点灯または消灯することで遊技演出を行なう遊技機用の発光装置に関するものである。
【０００２】
【従来の技術】
従来より、多くの遊技機には、発光体の前側を光透過性のランプレンズで被覆した発光装置が配設されて、該発光体を点灯または点滅等させて遊技機を装飾したり、遊技演出を行なうよう構成されている。例えば、遊技機の代表例であるパチンコ機には、遊技盤の側部に配設されて該遊技盤を装飾するサイドランプや、図柄組合わせゲーム等を行なう図柄表示装置を装飾する装飾部材等の発光装置が配設されており、各発光装置の発光体を点灯等させることで、遊技者が興味を持って遊技を行ない得るようになっている。また、前記発光装置に異なる色を発する複数の発光体を配設し、発光体の発する光による装飾・演出効果をより向上させるようにしたものも多数提案されている。
【０００３】
ところで、小型化した発光装置で複数色の発光を行なわせる場合には、異なる色を発する発光体が隣接状態で配設されるため、隣接する発光体の発する光が相互に干渉してしまい、遊技者に所望の色を視認させられない欠点がある。そこで、前記各発光体を囲繞するよう隔壁を設けると共に、各発光体の前方に筒状の導光部を夫々配設して、隣接する発光体の発する光が相互に干渉しないよう構成したものが提案されている（例えば、特許文献１参照）。また、前記各発光体の前側に、暗色透明のフィルムシートを配設して、該フィルムシートで各発光体の発する光を弱め、隣接する発光体の発する光が相互に干渉しないようにしたものも提案されている（例えば、特許文献１参照）。
【０００４】
【特許文献１】
特開２００２−１１１８７号公報（第９〜１０頁、第１２〜１３図）
【０００５】
【発明が解決しようとする課題】
しかしながら、前述の如く発光体の前側に筒状の導光部を夫々配設して光の干渉を防止する構成の場合には、前記発光装置は前方に大きく突出することになるため、装置全体の大型化を招き、前後方向にスペースがない部位に、該発光装置を配設できない欠点がある。また、前記フィルムシートを発光体の前側に設ける構成の場合であれば、前記発光装置が大型化することはないが、該シートの貼付け作業が必要となるため、作業工数が増大して作業が複雑化する難点が指摘されると共に、遊技者まで到達する光は弱くなる（光量が低下する）ため、装飾・演出効果が低くなる問題もある。更に、前記発光体の前側に前記導光部やフィルムシートを設けると、各発光体で照明し得る範囲が限られることになり、広い範囲を発光装飾する場合には複数の発光体が必要となる。
【０００６】
また、各発光体を観察すると、前記ランプレンズの前側において、該レンズの後側に配置されている発光体に対応する一部のみが発光しているように見える。これは、指向性の高い発光ダイオード（ＬＥＤ）を発光体として採用した場合に顕著であり、１個の発光体で広い範囲を発光させられず、光による高い演出効果が期待できなかった。
【０００７】
【発明の目的】
本発明は、前述した従来の技術に内在している前記課題に鑑み、これを好適に解決するべく提案されたものであって、隣接する発光体の光の干渉を抑制して装飾性を向上すると共に小型化を図り、また単一の発光手段による演出効果を向上し得る遊技機用の発光装置を提供することを目的とする。
【０００８】
【課題を解決するための手段】
前記課題を克服し、所期の目的を好適に達成するため、本発明に係る遊技機用の発光装置は、
複数の発光手段（５７，５８，５９）が隣接して配置され、これら発光手段（５７，５８，５９）を任意に点灯または消灯させることで光による遊技を演出し得る遊技機用の発光装置において、
複数の光透過性部材（６２，６３，６４，７５，７６，７７）を積層して形成した積層部材（６１）を、前記複数の発光手段（５７，５８，５９）の前方に近接するよう配設して、夫々の光透過性部材（６２，６３，６４，７５，７６，７７）を夫々の発光手段（５７，５８，５９）に対応させ、
前記夫々の発光手段（５７，５８，５９）から対応する光透過性部材（６２，６３，６４，７５，７６，７７）に入射した光が、当該光透過性部材（６２，６３，６４，７５，７６，７７）と隣接する他の光透過性部材（６２，６３，６４，７５，７６，７７）との境界面で反射されるようにしたことを特徴とする。
【０００９】
また、前記各光透過性部材（６２，６３，６４）に、乱反射処理を施すと共に、各光透過性部材（６２，６３，６４）における隣接する他の光透過性部材（６２，６３，６４，７５，７６，７７）との境界面を、平滑に形成するようにしてもよい。
【００１０】
更に、前記各光透過性部材（６２，６３，６４）の前端面に、乱反射処理を施すことも可能である。
【００１１】
更にまた、前記各光透過性部材（６２，６３，６４，７５，７６，７７）を、所定方向に延在する板状に形成すると共に、前記発光手段（５７，５８，５９）における前端面の形状を、長軸と短軸とを有する断面非円形に形成し、該長軸が光透過性部材（６２，６３，６４，７５，７６，７７）における後端面の長手方向に沿うように配置するようにしてもよい。
【００１２】
そして、前記積層部材（６１）を、上下に積層される上光透過性部材（６２，７５）、中光透過性部材（６３，７６）および下光透過性部材（６４，７７）から三層構造に形成して、前記上光透過性部材（６２，７５）と下光透過性部材（６４，７７）とを、上下方向に所要距離だけ離間して一体形成し、この上光透過性部材（６２，７５）と下光透過性部材（６４，７７）との間に、前記中光透過性部材（６３，７６）を嵌挿すると共に、前記中光透過性部材（６３，７６）に、上下の光透過性部材（６２，６４，７５，７７）の後端面側に露出する露出部（６３ａ，６３ａ，７６ａ，７６ａ）を設けるようにもできる。
【００１３】
前記課題を克服し、所期の目的を好適に達成するため、本願の別の発明に係る遊技機用の発光装置は、
発光手段（７１）を任意に点灯または消灯させることで光による遊技を遊技演出を行なう遊技機用の発光装置において、
前記発光手段（７１）の前側に、乱反射処理を施した光透過性部材（７３）が位置するよう配設したことを特徴とする。
【００１４】
【作用】
本発明に係る遊技機用の発光装置は、複数の光透過性部材を積層して形成した積層部材を、複数の発光手段の前方に夫々の光透過性部材が対応し、かつ近接するよう配設したので、各発光手段から対応する光透過性部材に入射した光は、当該光透過性部材と隣接する他の光透過性部材との境界面で反射される。従って、積層状態で隣接する他の光透過性部材への光の入射が阻止されることになり、一つの発光手段が発する光と他の発光手段が発する光との干渉が防止され、各光透過性部材毎に明輝される。そして、複数色の発光手段を配設した場合には、各発光手段に対応する光透過性部材を所望の色で明輝させることが可能となる。
【００１５】
また、前記各光透過性部材に乱反射処理を施すことで、発光手段の光を拡散して広い範囲を明輝させ得る。このとき、前記各光透過性部材と隣接する他の光透過性部材との境界面を平滑に形成することで、該境界面での光の拡散が防止されて、当該他の光透過性部材への光の入射が抑制される。更に、前記各光透過性部材を所定方向に延在する板状に形成し、発光手段の長軸方向を該光透過性部材の長手方向に沿うよう構成することで、単一の発光手段により対応する光透過性部材の広い範囲を明輝させ得ると共に、当該発光手段の短軸方向が光透過性部材の短手方向を指向することになるため、隣接する他の光透過性部材への光の入射を効果的に抑制できる。そして、積層部材を三層構造に形成して、上光透過性部材と下光透過性部材を一体で形成すると共に、該上下の光透過性部材の間に中光透過性部材を嵌挿するよう構成することで、積層部材を一体的に取扱い得るようになり、組付け作業を容易に行なうことができる。このとき、前記中光透過性部材を上下の光透過性部材の間の後端面側に露出するよう構成することで、該中光透過性部材に対応する発光手段の光を入射させる得るので、中光透過性部材を明輝させることができる。
【００１６】
【発明の実施の形態】
次に、本発明に係る遊技機用の発光装置につき、好適な実施例を挙げて、添付図面を参照しながら、以下詳細に説明する。なお、実施例では、遊技機として一般的なパチンコ機を採用し、該パチンコ機の始動入賞具に発光装置を配設する場合について説明する。
【００１７】
（パチンコ機について）
そこで、先ず本実施例のパチンコ機について、図３を参照して説明する。本実施例のパチンコ機Ｐは、その基本的な概略構成として、外枠Ａの開口前面側に対して中枠Ｂが、連結支持手段および施錠手段を利用して着脱および開閉可能に組付けられている。そして中枠Ｂに、横開き式のガラス扉Ｄを組付けた前枠Ｃと、ガラス扉Ｄの下部において前枠Ｃに対して着脱および開閉可能に組付けられる開閉セット板（図示せず）の前側にセットされて遊技球を貯留し得る上球皿Ｅおよび後側にセットされた電動式の球送り装置（図示せず）と、これらの下段に配設されて前記上球皿Ｅに収容しきれない遊技球を貯留する下球皿Ｆおよび遊技球を遊技領域Ｉに打出す打球発射装置Ｈと、後側に位置する機構セット盤（図示せず）等が夫々装備されている一方、中枠Ｂに所要の遊技領域Ｉを構成した遊技盤Ｊが着脱交換可能にセットされる。
【００１８】
（遊技盤について）
前記遊技盤Ｊは、図３に示すように、略円形状に湾曲形成したレール１０により囲まれた遊技領域Ｉの前側における縦央やや下部に、遊技球を球検出スイッチ５３で検出し得る始動入賞具２０が配設されており、この始動入賞具２０の直上方には、可視表示部１５ａが開設された装飾部材１５が配設されている。そして、前記可視表示部１５ａに、図柄を変動表示して図柄組合わせゲームを行なう図柄表示装置Ｋが後側から臨んでいる。また、前記装飾部材１５の左右両側部近傍には、風車とも称されて遊技球の落下方向を変向する普通案内車１３および電飾案内車１４が配設されると共に、前記始動入賞具２０の直下方には、開閉可能な開閉板１８で常には閉塞された特別入賞具１７を備える大型電動式の入賞装置Ｍ等が設置されている。更に、前記遊技盤Ｊの左右両側部に、サイドランプ１６，１６が配設され、前記図柄表示装置Ｋにおける図柄組合わせゲームに合わせて、点灯・点滅するようになっている。
【００１９】
（始動入賞具について）
ここで、前記始動入賞具２０は、該始動入賞具２０への遊技球の通入を契機として、前記図柄表示装置Ｋに表示された図柄を変動開始させるための始動入力手段として利用されるものである。図１に示すように、前記始動入賞具２０は、前記遊技盤Ｊに固定されるベース部材２１と、該ベース部材２１の前側に配置されて始動入賞具２０を装飾する装飾体２９と、当該ベース部材２１の後側に配設されて、遊技球を検出する球検出スイッチ５３を保持するホルダー部材４８と、始動入賞具２０への遊技球の通入領域（入賞領域）を可変する開閉装置と、当該始動入賞具２０を光で装飾する発光装置５５とから構成されている。
【００２０】
前記ベース部材２１は、図１または図５に示すように略矩形状に形成されており、その上部位置には、上下方向に開口して遊技球の通過を許容する枠状の球通入部２３が前側に向かって突出されている。また、図５に示すように、前記ベース部材２１の略中央位置には、前記球通入部２３の下方に位置して前後に貫通した上部開口２２ａおよび該上部開口２２ａより幅狭の下部開口２２ｂが開設されると共に、該下部開口２２ｂから後方に向けて第１球通路２４（図２参照）が連接されており、前記球通入部２３を通過した遊技球は該第１球通路２４を通って遊技盤Ｊの裏側に通出するよう構成されている。また、前記上部開口２２ａの近傍には、前記装飾体２９に突設した後述の軸部３０ａ，３０ａを挿通する軸孔２１ａ，２１ａが形成されている。なお、前記ベース部材２１の左右両側部には、前後に貫通する取付孔２１ｃ，２１ｃを設けてある。
【００２１】
図５または図６に示すように、前記ベース部材２１の下端部近傍には、前側に向かって突出すると共に、下側に湾曲して膨出する支持片２８が形成されると共に、該支持片２８の上方位置には、前記発光装置５５の積層部材６１（後述）を位置決めする位置決め孔２１ｂが穿設されている（図１参照）。また、前記位置決め孔２１ｂを挟む左右両側には、前後に貫通する側部開口２５，２５（図１参照）を夫々開設してあり、各側部開口２５の後方側に前記発光装置５５の後述する複数の発光手段５７，５８，５９が臨んでいる。更に、ベース部材２１の後面側には、図２に示すように、前記上部および下部開口２２ａ，２２ｂを挟む両側に固定部２６，２６が後方に向かって夫々突設され、各固定部２６における後端面の上端部近傍に第１ネジ孔２６ａが形成されると共に、該第１ネジ孔２６ａの下方位置に位置決め突部２６ｂが突設されている。なお、前記固定部２６，２６における左右に整列する位置に、後述するクランク部材３８を枢支する支持孔２６ｃ，２６ｃが形成されている。また、図２において左側に位置する前記固定部２６の近傍には、後端面に第２ネジ孔２７ａを形成したボス部２７を突設してある。
【００２２】
前記装飾体２９は、図４に示すように、左右方向に延在する上飾り部３０と、該上飾り部３０の略中央位置から垂下する下飾り部３１とから略Ｔ字状に形成されて、表面には種々の装飾が施されると共に、上飾り部３０の側部に、後方に向かって延出する壁部３０ｂを形成してある（図２参照）。なお、前記壁部３０ｂにおける後端部の左右両側部には、前記装飾体２９をベース部材２１に取付けるネジ孔３０ｃ，３０ｃが形成されている。前記上飾り部３０の後面側には、左右方向に所要距離離間して前記軸部３０ａ，３０ａが夫々突設されており、各軸部３０ａに後述する各羽根部材３５を回転可能に枢支したもとで、該軸部３０ａが前記ベース部材２１の軸孔２１ａに挿通され、該ベース部材２１の各取付孔２１ｃの後方から挿通したネジ（図示せず）を、前記壁部３０ｂの各ネジ孔３０ｃに螺挿することで固定される。すなわち、前記装飾体２９は、前記ベース部材２１の前側に前記壁部３０ｂの長さだけ離間して位置し、両部材２１，２９の間に前記発光装置５５の積層部材６１が配設されている（図４参照）。
【００２３】
なお、前記装飾体２９を前記ベース部材２１に固定した際に、前記下飾り部３１における前記球通入部２３の下方に整列する位置には、該球通入部２３に通入した遊技球を前記第１球通路２４に案内する球誘導部３２を形成してある（図２参照）。また、前記下飾り部３１の下端部から後方に向かって、前記積層部材６１の係止突部６４ｂ（後述）と係脱可能に係合する係止片３１ａが形成されている。
【００２４】
（開閉装置について）
前記開閉装置は、図１または図２に示すように、前記ベース部材２１の前側に位置する左右の羽根部材３５，３５と、該ベース部材２１の後側に位置して前後方向に駆動するソレノイド４１と、該ソレノイド４１と羽根部材３５，３５との間に位置し、当該ソレノイド４１の駆動に伴い揺動されて羽根部材３５，３５を開閉させるクランク部材３８とから構成されている。ここで、前記左右の羽根部材３５，３５は、互いに対称な形状で、上方に向かって徐々に薄肉となる所謂フラップ状に形成されており、前記第１球通路２４を挟んで左右両側に配設される（図４参照）。また、各羽根部材３５の下方位置に、前記装飾体２９の軸部３０ａを挿通する軸孔３５ａが形成され、該羽根部材３５は、該軸部３０ａで揺動可能に枢支されている。更に、図２に示すように、前記羽根部材３５における軸孔３５ａの近傍には、後方に向かって前記連繋棒３６が夫々突設されており、該連繋棒３６が前記ベース部材２１の上部開口２２ａに挿通される。
【００２５】
また、前記クランク部材３８には、図１または図２に示すように、左右に離間する位置に、前端部に前記各羽根部材３５における連繋棒３６の後端が突入係合する凹状の第１連繋部３９，３９が形成されると共に、該左右の第１連繋部３９，３９を連結結合して前記ソレノイド４１のロッド４５（後述）に設けた係合板４５ａが係止連繋する第２連繋部４０が形成されている。また、前記左右の第１連繋部３９，３９の相互に離間する側面には、外側に向かって突起部３８ａ，３８ａが突設されて、該突起部３８ａが前記ベース部材２１の固定部２６に形成した前記支持孔２６ｃに挿通されて回動可能に支持されている。
【００２６】
前記ソレノイド４１は、厚肉の金属板を門型に折曲成形することで前側に開放端部が指向してなるフレーム４２と、一端部にフランジ４４が配設された磁力発生部４３とから基本的に構成されており、該フランジ４４を前側に位置させた状態で該フレーム４２の前端部に固着してある。また、前記磁力発生部４３には、前記ロッド４５が前後動可能に配設されると共に、該ロッド４５の前端部に円盤状の係合板４５ａが配設されており、この係合板４５ａが前記クランク部材３８の第２連繋部４０と連繋するようになっている。ここで、前記係合板４５ａとフランジ４４との間のロッド４５にバネ等の弾性部材４６が介装されており、前記ソレノイド４１に通電されていない状態においては、弾性部材４６の弾性力により係合板４５ａが常には前方に付勢されている。また、前記フランジ４４における前記フレーム４２を挟む両側には、前記ベース部材２１の第１ネジ孔２６ａ，２６ａと対応する位置に第１通孔４４ａ，４４ａが形成されると共に、該ベース部材２１の位置決め突部２６ｂ，２６ｂと対応する位置に第２通孔４４ｂ，４４ｂを夫々形成してある。なお、前記ソレノイド４１は、図示しない制御装置により制御され、所定条件を満たした場合に該制御装置からの制御信号に基づいて励磁制御されるようになっている。
【００２７】
このように構成された開閉装置は、前記ソレノイド４１の非励磁状態とされる通常状態時では、各羽根部材３５，３５がその先端部を互いに近接させた第１位置に保持され（図４参照）、前記ベース部材２１の球通入部２３を通過した遊技球のみが第１球通路２４に通入し得るように入賞領域を狭小している。一方、制御装置からの制御信号に基づいて前記ソレノイド４１が励磁制御されると、前記ロッド４５の後退変位に従って前記クランク部材３８が上方に揺動されて、各羽根部材３５の先端部が互いに離間する第２位置に変位され（図示せず）、入賞領域を大きく拡幅して、遊技球が始動入賞具２０の側方からも前記第１球通路２４に通入し得るようになっている。
【００２８】
（ホルダー部材について）
前記開閉装置の後側には、前記ベース部材２１の第１球通路２４に連通する第２球通路４９を備える前記ホルダー部材４８が配設されており、該第１球通路２４を通出した遊技球は第２球通路４９を介して機裏側に排出される。また、前記第２球通路４９の球出口には、遊技球を検出する前記球検出スイッチ５３を着脱可能に配置し得るスイッチ保持部５０が形成されており、該球検出スイッチ５３による遊技球の通出検出に基づき、図示しない制御装置が前記図柄表示装置Ｋに表示された図柄を変動開始させるよう構成されている。更に、前記ホルダー部材４８における、前記ベース部材２１の第１ネジ孔２６ａ，２６ａおよびソレノイド４１の第１通孔４４ａ，４４ａと前後に整列する位置には、第１通孔４８ａ，４８ａが形成されると共に、該ベース部材２１の位置決め突部２６ｂ，２６ｂおよびソレノイド４１の第２通孔４４ｂ，４４ｂと前後に整列する位置には、第２通孔４８ｂ，４８ｂが形成されている。そして、前記ソレノイド４１の第２通孔４４ｂに挿通した前記ベース部材２１の位置決め突部２６ｂを、前記ホルダー部材４８の第２通孔４８ｂに挿通したもとで、該ホルダー部材４８の第１通孔４８ａに後方から挿通したネジを、ソレノイド４１の第１通孔４４ａを介してベース部材２１第１ネジ孔２６ａに螺挿することで、各部材２１，４１，４８が固定される。
【００２９】
また、図１に示すように、前記ホルダー部材４８における右下位置および左上位置には、前方に向かって突出する突部５１，５１が夫々形成され、各突部５１の前端部には、前記発光装置５５の基板５６（後述）を位置決めする小径突部５１ａが夫々突設されている。なお、前記ホルダー部材４８をベース部材２１に固定した際に該ベース部材２１における前記ボス部２７と対応する位置には、第３通孔４８ｃが形成されており、該第３通孔４８ｃに後方からネジ（図示せず）を挿通して該ボス部２７の第２ネジ孔２７ａに螺挿するようになっている。
【００３０】
（発光装置について）
次に、前記発光装置５５は、図１，図２または図５に示すように、前記ベース部材２１の前側に位置する積層部材６１と、該ベース部材２１の後側に位置すると共にベース部材２１とホルダー部材４８とにより挟持固定される基板５６とから構成される。前記基板５６には、上方に開口するよう凹んだ凹部５６ａが形成されており、該凹部５６ａが前記ベース部材２１における第１球通路２４の下面に当接するようになっている。また、前記基板５６の右下方位置および左上方位置には、図１に示すように、前記ホルダー部材４８の小径突部５１ａ，５１ａを挿通し得る通孔５６ｂ，５６ｂが夫々形成されている。そして、前記各通孔５６ｂに小径突部５１ａを挿通して位置決めした状態で、前記ホルダー部材４８をベース部材２１にネジ止めすると、前記基板５６の一部が該ベース部材２１の後面に当接して、該基板５６が、前記ベース部材２１とホルダー部材４８との間で挟持されるようになっている。
【００３１】
ここで、前記基板５６における前記凹部５６ａを挟む両側には、図１に示すように、前記発光手段５７，５８，５９として複数色（緑、赤、青）の発光ダイオード（ＬＥＤ、発光体）が夫々配設され、上側から緑色ＬＥＤ５７、赤色ＬＥＤ５８、青色ＬＥＤ５９の順で位置している（図５参照）。なお、前記基板５６に配設した各ＬＥＤ５７，５８，５９は、前記ベース部材２１の側部開口２５，２５から前方に臨むよう配置される。ここで、前記赤色ＬＥＤ５８は、前端面の形状が略円形に形成されると共に、前記緑色ＬＥＤ５７および青色ＬＥＤ５９における前端面の形状は、長軸と短軸とを有する略楕円形（断面非円形）に形成されて、夫々の長軸が左右方向に延在するよう構成されている（図５参照）。また、図６に示すように、前記緑色ＬＥＤ５７および青色ＬＥＤ５９は、前記赤色ＬＥＤ５８より前方に突出した位置に配置されるよう設定してある。
【００３２】
前記積層部材６１は、耐衝撃性に優れ、透明度の高いポリカーボネートからなり、左右方向に延在する板状の上層体（上光透過性部材）６２、中層体（中光透過性部材）６３および下層体（下光透過性部材）６４とから構成され、各層体６２，６３，６４を上下方向に積層した３層構造として形成される（図７（ａ）参照）。また、前記積層部材６１における上層体６２と下層体６４は、上下に所要距離だけ離間するよう夫々の後端部で連結されて一体的に形成され（図７（ｂ）参照）、該上下層体６２，６４の間に、中層体６３を嵌挿するよう構成され、前記積層部材６１を一体的に取扱い得るようになっている。
【００３３】
また、図８に示すように、前記上層体６２と下層体６４とを連結する連結部６５の略中央位置には、位置決め孔６５ａが形成され、該連結部６５の左右両側部には、前後に貫通する挿通孔６５ｂ，６５ｂを形成してある。更に、図９に示すように、前記中層体６３における後端面の略中央位置には、後方に向かって突起部６３ａが形成されて、前記上下層体６２，６４の間に該中層体６３を嵌挿した際に、前記連結部６５の位置決め孔６５ａに該突起部６３ａが嵌入され、各部材６２，６３，６４が分離するのを防止している。更に、前記中層体６３における左右両側部には、前記挿通孔６５ｂ，６５ｂに挿通可能な突出部（露出部）６３ｂ，６３ｂが突出されており、前記上下層体６２，６４の間に該中層体６３を嵌挿した際に、該上下層体６２，６４の後端面側に各突出部６３ｂが露出するよう構成されている（図７（ｂ）参照）。なお、図９（ｃ）に示すように、前記各突出部６３ｂを湾曲形状に形成してある。
【００３４】
ここで、前記下層体６４は、前記ベース部材２１の支持片２８に沿うよう下側に膨出した円弧状に湾曲形成され（図５参照）、前記上層体６２および中層体６３の夫々は、積層した際に下層体６４と略同心円状となるように湾曲形成される。また、前記下層体６４の後端面には、後方に向かって第１位置決め突部６４ａが突出されており、該第１位置決め突部６４ａを前記ベース部材２１の位置決め孔２１ｂに挿入することで、前記下層体６４（積層部材６１）がベース部材２１に対して位置決めされる。このとき、前記緑色ＬＥＤ５７の前方に前記上層体６２の後端面が近接状態で対向し、前記赤色ＬＥＤ５８の前方に前記中層体６３の後端面（突出部６３ｂ）が近接状態で対向すると共に、前記青色ＬＥＤ５９の前方に前記下層体６４の後端面が近接状態で対向するようになっている（図６参照）。すなわち、前記積層部材６１は、前記各層体６２，６３，６４の間の境界面が、前後方向（各ＬＥＤ５７，５８，５９の光軸方向）に延在するよう前記ベース部材２１の前側に配置され、一つの層体６２，６３，６４に光が入射されると、該層体６２，６３，６４と隣接する他の層体６２，６３，６４との境界面で光が反射されて、他の層体６２，６３，６４への入射が阻止される。また、前記緑および青色ＬＥＤ５７，５９の長軸方向が、対応する前記上下層体６２，６４の長手方向（左右方向）に略沿うと共に、各ＬＥＤ５７，５９の短軸方向が各層体６２，６４の短手方向（上下の厚み方向）に略指向している。
【００３５】
また、前記積層部材６１（各層体６２，６３，６４）の前端面は、図７〜図９に示すように、左右両側部が前側に膨出して略中央位置が凹んだ波状に形成されており、該積層部材６１の前端面における凹んだ部位の前側に、前記装飾体２９の下飾り部３１が位置し、当該積層部材６１が左右に分割されて見えるよう構成してある。なお、前記下層体６４における前端面の略中央位置には、前側に向かって突出する係止突部６４ｂが形成されており、前記装飾体２９における下飾り部３１の係止片３１ａと該係止突部６４ｂとが係合して、積層部材６１の前側が位置決めされている。
【００３６】
前記各層体６２，６３，６４の前端面には、磨りガラス状の乱反射処理が施されている。本実施例では、各層体６２，６３，６４の前端面に対応する部位に微小なキズを形成した成形型（図示せず）に樹脂原料を流入させることで、各層体６２，６３，６４の前端面が磨りガラス状に形成される。すなわち、前記各層体６２，６３，６４の前端面は、巨視的には不透明状または半透明状を呈しているが、微視的には多数の微小面が連接した凹凸形状となっており、前記各ＬＥＤ５７，５８，５９から光が照射されると、該前端面の全体が鮮明に明輝し得るようになっている。なお、前記各層体６２，６３，６４における隣接する他の層体６２，６３，６４との境界面は平滑に形成され、前述した乱反射処理は施されていない。
【００３７】
【実施例の作用】
次に、本実施例に係る遊技機用の発光装置の作用につき説明する。
【００３８】
前記打球発射装置Ｈを遊技者が操作して、遊技盤Ｊの遊技領域Ｉに遊技球が打出され、前記始動入賞具２０における前記球通入部２３に遊技球が通入すると、該遊技球が第２球通路４９を通出する際に前記球検出スイッチ５３で検出し、制御装置の制御信号に基づき前記図柄表示装置Ｋで遊技演出が行なわれる。また、前記球通入部２３に遊技球が通入した際に所定の条件を満たすと、前記開閉装置のソレノイド４１が駆動されて、前記左右の羽根部材３５，３５が開放されて、始動入賞具２０への遊技球の通入が容易となる。このとき、前記図柄表示装置Ｋでの遊技演出に合わせて前記各ＬＥＤ５７，５８，５９が点灯または点滅されて、前記積層部材６１の各層体６２，６３，６４が明輝し、光による遊技演出が行なわれる。
【００３９】
ここで、前記積層部材６１は、前記各層体６２，６３，６４の間の境界面が各ＬＥＤ５７，５８，５９の光軸方向に延在すると共に、各ＬＥＤ５７，５８，５９の前側に各層体６２，６３，６４を近接するよう対応して配置し、かつ各層体６２，６３，６４の間の境界面を平滑に形成したので、例えば赤色ＬＥＤ５８の発光により中層体６３に入射した光は、該中層体６３と隣接する前記上下層体６２，６４との境界面で反射されて、該上下層体６２，６４への入射が阻止される。このため、前記上下層体６２，６４では、各層体６２，６４に対応する緑色ＬＥＤ５７の光および青色ＬＥＤ５９の光と、前記赤色ＬＥＤ５８の光との干渉が防止され、所定の色（上層体６２は緑色、下層体６４は青色）で明輝させ得るようになる。同様に、前記上下層体６２，６４の夫々に入射した光も、該上下層体６２，６４と隣接する前記中層体６３との境界面で反射されるので、該中層体６３を所定の色（赤色）で明記させることができる。
【００４０】
すなわち、前記各ＬＥＤ５７，５８，５９から対応する層体６２，６３，６４に入射した光は、該層体６２，６３，６４と隣接する他の層体６２，６３，６４との境界面で反射されるため、一つのＬＥＤ５７，５８，５９が発する光と、他のＬＥＤ５７，５８，５９が発する光との干渉が防止され、各層体６２，６３，６４を所定の色で明輝することが可能となるので、光による演出効果を向上し得る。また、各ＬＥＤ５７，５８，５９の夫々を単独で発光し得るよう構成したので、所要の層体６２，６３，６４のみを明輝させることが可能となり、光による演出効果がより向上する。
【００４１】
また、例えば前記上層体６２の後端部に対向する緑色ＬＥＤ５７が点灯すると、該上層体６２を透過した光が当該上層体６２の前端面を照射する。このとき、前記上層体６２の前端面に乱反射処理を施してあるので、該前端面に照射された緑色ＬＥＤ５７の光が拡散されて該上層体６２の前端面全体が明輝され、左右方向に長いライン状に発光するようになる。このように、指向性の高いＬＥＤ５７を用いて前記上層体６２に光を照射した場合でも、広い範囲を明輝させることが可能である。そして、前記上層体６２に限らず、下層体６４においても同様の効果が得られる。また、前記中層体６３は、該中層体６３の後端部に湾曲形成した各突出部６３ｂと赤色ＬＥＤ５８とが近接して対向するよう構成してあるため、該赤色ＬＥＤ５８から突出部６３ｂに照射された光が収束して、中層体６３における前端部における所定部位（突出部６３ｂと対応する略中央部位）のみが明輝表示されるようになる。このように、中層体６３に突出部６３ｂを形成することで、上下層体６２，６４と異なる態様で明記させることができ、興趣の高い遊技演出が可能となる。なお、本実施例では、図柄表示装置Ｋと並んで遊技者に注目される始動入賞具２０に、前記発光装置５５を配設するようにしたので、より一層遊技の興趣が増大される。
【００４２】
更に、前記序で層体６２，６４を左右方向に延在する板状に形成し、各ＬＥＤ５７，５９の長軸方向を該上下層体６２，６４の長手方向に沿うよう構成したので、夫々単一のＬＥＤ５７，５９により対応する上下層体６２，６４の左右方向の広い範囲を明輝させ得ると共に、当該ＬＥＤ５７，５９の短軸方向が上下層体６２，６４の短手方向を指向しているので、上下層体６２，６４と隣接する中層体６３への光の入射を効果的に抑制できる。更にまた、前記積層部材６１は、一体形成した上層体６２と下層体６４との間に中層体６３を嵌挿することで一体的に取扱い得るよう構成したから、前記始動入賞具２０を組付ける際の部品点数が削減され、作業の効率化を図り得る。このとき、前記上下層体６２，６４の連結部６５の位置決め孔６５ａに、中層体６３の突起部６３ａが嵌入されているので、上下層体６２，６４と中層体６３とが簡単に分離することはない。
【００４３】
【別実施例】
前述した実施例では、発光手段の前側に、３つの光透過性部材を積層した積層部材を配設するようにしたが、単一の光透過性部材を発光手段の前側に配設することもできる。例えば、図１０または図１１に示すように、基板５６の表面側における凹部５６ａを挟む両側に、所要の発光色のＬＥＤ（発光手段）７１を配設すると共に、該ＬＥＤ７１の前側に、単一の光透過性部材７３を近接状態で配設して、発光装置を構成してもよい。このとき、前記光透過性部材７３の前端面には、乱反射処理を施してある。この場合にも、指向性の高い前記ＬＥＤ７１の光が、前記光透過性部材７３に入射されると、該光透過性部材７３の前端面で光が拡散されて、当該前端面の全体を明輝させることができる。すなわち、１個の発光体で広い範囲を発光させることができ、光による演出効果を向上し得ることが可能である。なお、図１０、図１１中において、前述の実施例と同一の部材には同一の符号を付してある。
【００４４】
【変更例】
なお、発光装置の構成としては、実施例のものに限られず、種々の変更が可能である。実施例では、各光透過性部材をポリカーボネートで形成するようにしたが、例えばアクリル樹脂等の光透過性を有する樹脂やガラスを使用することも可能である。また、光透過性部材の形状としては、実施例のものに限られず、所要の形状とすればよい。また、３つの光透過性部材を積層して３層構造の積層部材を形成するようにしたが、２または４以上の光透過性部材を積層するようにしてもよく、積層する方向としても上下方向に限らず、左右方向その他の方向であってもよい。
【００４５】
また、３層構造とした積層部材の上下の光透過性部材を一体に形成するようにしたが、夫々の光透過性部材を別体で形成して組付けるよう構成することもでき、この場合には、各光透過性部材の後端面に、位置決め突部等の位置決め手段を形成するようにすれば、組付け作業を簡単に行ない得る。更に、前記中光透過性部材の後端面における発光手段と対向する部位に、後方に突出する突出部を形成するようにしたが、積層部材を構成する複数の光透過性部材のうち、所定の光透過性部材に他の光透過性部材より後方に突出する突出部を形成してもよい。この場合には、前記突出部を形成した光透過性部材での明輝態様が変化されて、遊技の演出効果の向上を図り得る。なお、前記突出部の形状は実施例のものに限らず、所要に応じて変更することができる。
【００４６】
そして、実施例では、中光透過性部材に設けた突出部を上下の光透過性部材の後端面から後方に突出させたが、中光透過性部材の後端面を、上下の光透過性部材の後端面側に露出させればよい。例えば、前述の実施例と同様に３層構造の積層部材を例にして説明すると、図１２（ａ），（ｂ）に示す如く、上層体（光透過性部材）７５および下層体（光透過性部材）７７を連結する連結部７８が、上下層体７５，７７の略中央位置のみに形成されると共に、中層体（光透過性部材）７６における後端面の左右両側部には、後方に突出する突出部（露出部）７６ａ，７６ａが形成されている。このとき、前記中層体７６における各突出部７６ａの後端面は略平坦に形成されて、前記上下層体７５，７７の間に中層体７６を嵌挿した際に、該上下層体７５，７７の後端面と、中層体７６における各突出部７６ａの後端面とが略同一平面上に位置するよう構成される。この場合には、前記中層体７６の後端面に対応する発光手段（図示せず）を発光させると、該中層体７６の前端面全体が明輝され、左右方向に長いライン状に発光されて、３色のライン状の光により遊技演出が可能となる。
【００４７】
更に、前記光透過性部材の前端面に、乱反射処理を施すようにしたが、光透過性部材と隣接する他の光透過性部材との境界面を平滑に形成すれば、当該光透過性部材の所要部位（例えば、光透過性部材の内部）に乱反射処理を施すことができ、この場合も実施例と同様の作用効果が得られる。更にまた、全ての光透過性部材に前記乱反射処理を施す必要はなく、任意の光透過性部材にのみ乱反射処理を施すこともできる。なお、前記発光手段の発光色としては、実施例のものに限られず、遊技演出の態様に応じて任意に選択し得ると共に、単一色の発光手段を使用するようにしてもよい。また、前記発光装置に配設される発光手段を、実施例の如く２つまたは６つの発光体で構成するのに限らず、任意数の発光体を使用するようにすればよく、複数の発光体で構成すれば、言うまでもなく、より広範囲に亘って明輝させ得るようになる。
【００４８】
なお、本発明に係る発光装置を始動入賞具に配設するようにしたが、これに限らず、遊技盤を装飾するサイドランプや図柄表示装置が臨む装飾部材等に配設してもよく、所要の箇所に配設するようにすればよい。そして、前記発光装置を配設する遊技機としてはパチンコ機に限らず、パチスロ機やパチンコ式スロットマシン機、アレンジボール機等、種々の遊技機に配設することが可能である。
【００４９】
【発明の効果】
以上に説明したように、本発明に係る遊技機用の発光装置によれば、発光手段から対応する光透過性部材に入射した光は、当該光透過性部材と隣接する他の光透過性部材との境界面で反射されるので、一つの発光手段が発する光と隣接する他の発光手段が発する光との干渉が防止され、各光透過性部材毎に明輝させることが可能である。また、前記各光透過性部材に乱反射処理を施すことで、発光手段の光を拡散して広い範囲を明輝させ得る。このとき、前記各光透過性部材と隣接する他の光透過性部材との境界面を平滑に形成したことで、該境界面での光の拡散が防止されて、当該他の光透過性部材への光の入射が抑制される。
【００５０】
更に、前記各光透過性部材を所定方向に延在する板状に形成し、発光手段の長軸方向を該光透過性部材の長手方向に沿うよう構成することで、単一の発光手段により対応する光透過性部材の広い範囲を明輝させ得ると共に、当該発光手段の短軸方向が光透過性部材の短手方向を指向することになるため、隣接する他の光透過性部材への光の入射を効果的に抑制できる。そして、三層構造とした積層部材における上光透過性部材と下光透過性部材を一体で形成すると共に、該上下の光透過性部材の間に中光透過性部材を嵌挿するよう構成すれば、該積層部材を一体的に取扱い得るようになり、組付け作業を容易に行ない得る。このとき、前記中光透過性部材の後端部を上下の光透過性部材の間の後端面側に露出させたので、該中光透過性部材に対応の発光手段の光を入射させ、中光透過性部材を明輝させることができる。
【図面の簡単な説明】
【図１】本発明の実施例に係る始動入賞具を前方から見た状態で示す分解斜視図である。
【図２】実施例に係る始動入賞具を後方から見た状態で示す分解斜視図である。
【図３】実施例に係るパチンコ機を示す正面図である。
【図４】実施例に係る始動入賞具を示す正面図である。
【図５】実施例に係る始動入賞具を、装飾体を取外した状態で示す正面図である。
【図６】図５に示す始動入賞具の縦断側面図である。
【図７】（ａ）は積層部材を前側から見た状態を示す斜視図であり、（ｂ）は積層部材を後側から見た状態を示す斜視図である。
【図８】実施例に係る上層体および下層体を示し、（ａ）は正面図であり、（ｂ）は背面図であり、（ｃ）は平面図である。
【図９】実施例に係る中層体を示し、（ａ）は正面図であり、（ｂ）は背面図であり、（ｃ）は平面図である。
【図１０】別実施例に係る始動入賞具を、装飾体を取外した状態で示す正面図である。
【図１１】図１０に示す始動入賞具の縦断側面図である。
【図１２】変更例に係る積層部材を示し、（ａ）は中層体を上下層体から取外して前側から見た状態を示す斜視図であり、（ｂ）は上下層体の間に中層体を嵌挿して後側から見た状態を示す斜視図である。
【符号の説明】
５７　緑色ＬＥＤ（発光手段）
５８　赤色ＬＥＤ（発光手段）
５９　青色ＬＥＤ（発光手段）
６１　積層部材
６２　上層体（光透過性部材）
６３　中層体（光透過性部材）
６３ｂ　突出部（露出部）
６４　下層体（光透過性部材）
７１　ＬＥＤ（発光手段）
７３　光透過性部材
７５　上層体（光透過性部材）
７６　中層体（光透過性部材）
７６ａ　突出部（露出部）
７７　下層体（光透過性部材）
【図１】
2004141197.tif 000003
【図２】
2004141197.tif 000004
【図３】
2004141197.tif 000005
【図４】
2004141197.tif 000006
【図５】
2004141197.tif 000007
【図６】
2004141197.tif 000008
【図７】
2004141197.tif 000009
【図８】
2004141197.tif 000010
【図９】
2004141197.tif 000011
【図１０】
2004141197.tif 000012
【図１１】
2004141197.tif 000013
【図１２】
2004141197.tif 000014
【手続補正書】
【提出日】平成16年1月30日(2004.1.30)
【手続補正１】
【補正対象書類名】明細書
【補正対象項目名】００４２
【補正方法】変更
【補正の内容】
【００４２】
更に、前記上下層体６２，６４を左右方向に延在する板状に形成し、各ＬＥＤ５７，５９の長軸方向を該上下層体６２，６４の長手方向に沿うよう構成したので、夫々単一のＬＥＤ５７，５９により対応する上下層体６２，６４の左右方向の広い範囲を明輝させ得ると共に、当該ＬＥＤ５７，５９の短軸方向が上下層体６２，６４の短手方向を指向しているので、上下層体６２，６４と隣接する中層体６３への光の入射を効果的に抑制できる。更にまた、前記積層部材６１は、一体形成した上層体６２と下層体６４との間に中層体６３を嵌挿することで一体的に取扱い得るよう構成したから、前記始動入賞具２０を組付ける際の部品点数が削減され、作業の効率化を図り得る。このとき、前記上下層体６２，６４の連結部６５の位置決め孔６５ａに、中層体６３の突起部６３ａが嵌入されているので、上下層体６２，６４と中層体６３とが簡単に分離することはない。